(57)【要約】【課題】看護師が薬剤を投薬する際のミスを抑制すること。【解決手段】本実施例に係る投薬量出力制御装置１００は、例えば、受付部１５０ａと出力部１５０ｂとを有する。受付部１５０ａは、食事イベントと該食事イベントに対応する薬剤の投薬量とを含む指定を受け付ける。出力部１５０ｂは、現在時刻が食事イベントに予め対応付けられた時間帯に属する場合に、該食事イベントと該食事イベントに対応付けて記憶された薬剤の投薬量とを出力する。【選択図】図１
2015194967.tif 000002
【特許請求の範囲】
【請求項１】
コンピュータに、
食事イベントと該食事イベントに対応する薬剤の投薬量とを含む指定を受け付け、
現在時刻が前記食事イベントに予め対応付けられた時間帯に属する場合に、該食事イベントと該食事イベントに対応付けて記憶された薬剤の投薬量とを出力する
処理を実行させることを特徴とする薬剤の投薬量出力制御プログラム。
【請求項２】
コンピュータに、
複数の食事イベントと該複数の食事イベントに対応する薬剤の投薬量とを含む指定を受け付け、
現在時刻が前記複数の食事イベントのそれぞれに予め対応付けられた時間帯のいずれかに属する場合に、現在時刻が属する時間帯に対応する食事イベントに対応付けて記憶された薬剤の投薬量を、他の食事イベントに対応付けて記憶された薬剤の投薬量に対して強調された表示形態で出力する
処理を実行させることを特徴とする薬剤の投薬量出力制御プログラム。
【請求項３】
前記食事イベントは、朝食前、又は、朝食後、又は、昼食前、又は、昼食後、又は、夕食前、又は、夕食後であることを特徴とする請求項１又は２に記載の投薬量出力制御プログラム。
【請求項４】
コンピュータに、
食事イベントと血糖値とインスリンの投薬量との対応関係を記憶する記憶部に記憶された前記対応関係に基づいて、現在時刻が属する時間帯に対応する食事イベントと入力された血糖の測定値とに対応するインスリンの投薬量を特定し、
特定した該インスリンの投薬量を出力する、
処理を実行させることを特徴とする薬剤の投薬量出力制御プログラム。
【請求項５】
前記血糖の測定値が入力された時刻を取得して、前記取得した時刻が現在時刻から所定の時間内である場合に、前記インスリンの投薬量を特定する
処理を実行することを特徴とする請求項４に記載の投薬量出力制御プログラム。
【請求項６】
前記取得した時刻が現在時刻から所定の時間内である前記血糖の測定値が複数ある場合に、測定された前記血糖の複数の測定値のいずれかを選択可能に表示することを特徴とする請求項５に記載の投薬量出力制御プログラム。
【請求項７】
コンピュータが実行する投薬量出力制御方法であって、
食事イベントと該食事イベントに対応する薬剤の投薬量とを含む指定を受け付け、
現在時刻が前記食事イベントに予め対応付けられた時間帯に属する場合に、該食事イベントと該食事イベントに対応付けて記憶された薬剤の投薬量とを出力する
処理を実行することを特徴とする薬剤の投薬量出力制御方法。
【請求項８】
食事イベントと該食事イベントに対応する薬剤の投薬量とを含む指定を受け付ける受付部と、
現在時刻が前記食事イベントに予め対応付けられた時間帯に属する場合に、該食事イベントと該食事イベントに対応付けて記憶された薬剤の投薬量とを出力する出力部と
を有することを特徴とする投薬量出力制御装置。
【発明の詳細な説明】
【技術分野】
【０００１】
本発明は、投薬量出力制御プログラム等に関する。
【背景技術】
【０００２】
従来、糖尿病の看護では、血糖値の測定および測定結果に応じたインスリンの投与が行われる。看護師が患者に投薬する場合には、予め医師から指示されている内容に従って、投与するインスリンの量を調整する。
【先行技術文献】
【特許文献】
【０００３】
【特許文献１】特開２００４−７８６２９号公報
【発明の概要】
【発明が解決しようとする課題】
【０００４】
しかしながら、上述した従来技術では、看護師が薬剤を投薬する際のミスを抑制することができないという問題がある。
【０００５】
患者に投与されるインスリンの投薬量は一定ではなく、投薬の時間帯や、患者の状態に応じて、変化する場合がある。例えば、投与する時間帯は食前／食後か、患者は食事を接種したか否か、食事の摂取量、時間帯、患者の血糖値によって、インスリンの投薬量は変化する。このため、薬剤を投薬する際のミスを抑制することが求められている。
【０００６】
なお、ここでは投薬する薬剤としてインスリンを例に説明したが、これに限定されるものではなく、患者に投与される他の薬剤にも同様に発生し得る課題である。
【０００７】
１つの側面では、看護師が薬剤を投薬する際のミスを抑制することができる投薬量出力制御プログラム、投薬量出力制御方法および投薬量出力制御装置を提供することを目的とする。
【課題を解決するための手段】
【０００８】
第１の案では、コンピュータに下記の処理を実行させる。コンピュータは、食事イベントと該食事イベントに対応する薬剤の投薬量とを含む指定を受け付ける。コンピュータは、現在時刻が食事イベントに予め対応付けられた時間帯に属する場合に、該食事イベントと該食事イベントに対応付けて記憶された薬剤の投薬量とを出力する。
【発明の効果】
【０００９】
本発明の１実施態様によれば、看護師が薬剤を投薬する際のミスを抑制することができる。
【図面の簡単な説明】
【００１０】
【図１】図１は、本実施例に係る投薬量出力制御装置の構成を示す機能ブロック図である。
【図２】図２は、患者管理テーブルのデータ構造の一例を示す図である。
【図３】図３は、血糖値測定履歴情報のデータ構造の一例を示す図である。
【図４】図４は、食事イベントデータのデータ構造の一例を示す図である。
【図５】図５は、投薬量管理テーブルのデータ構造の一例を示す図である。
【図６】図６は、出力部が表示させる表示画面の一例を示す図である。
【図７】図７は、本実施例に係る投薬量出力制御装置の処理手順を示すフローチャートである。
【図８】図８は、投薬量出力制御プログラムを実行するコンピュータの一例を示す図である。
【発明を実施するための形態】
【００１１】
以下に、本願の開示する投薬量出力制御プログラム、投薬量出力制御方法および投薬量出力制御装置の実施例を図面に基づいて詳細に説明する。なお、この実施例によりこの発明が限定されるものではない。
【実施例】
【００１２】
図１は、本実施例に係る投薬量出力制御装置の構成を示す機能ブロック図である。図１に示すように、この投薬量出力制御装置１００は、通信部１１０、入力部１２０、表示部１３０、記憶部１４０、制御部１５０を有する。
【００１３】
通信部１１０は、ネットワークを介して、図示しない外部装置とデータ通信を実行する処理部である。後述する制御部１５０は、通信部１１０を介して、データをやり取りする。例えば、通信部１１０は、通信装置に対応する。
【００１４】
入力部１２０は、各種の情報を入力する入力装置であり、例えば、キーボードやマウスに対応する。表示部１３０は、制御部１５０から出力される各種の情報を表示する表示装置であり、液晶ディスプレイやモニタ等に対応する。
【００１５】
記憶部１４０は、患者管理テーブル１４０ａと、食事イベントデータ１４０ｂと、投薬量管理テーブル１４０ｃとを有する。記憶部１４０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００１６】
患者管理テーブル１４０ａは、患者に関する各種の情報を保持するテーブルである。図２は、患者管理テーブルのデータ構造の一例を示す図である。図２に示すように、この患者管理テーブル１４０ａは、患者識別情報と、患者名と、ベッド情報と、血糖値測定履歴情報とを対応付ける。患者識別情報は、患者を一意に識別する情報である。患者名は、患者の名前である。ベッド情報は、患者が利用するベッドを特定する情報である。血糖値測定履歴情報は、患者に対する血糖値の測定履歴である。血糖値測定履歴情報の一例を、図３を用いて説明する。
【００１７】
図３は、血糖値測定履歴情報のデータ構造の一例を示す図である。図３に示す血糖値測定履歴情報は、例えば、患者識別情報「０００１」の血糖値測定履歴情報である。図３に示すように、この血糖値測定履歴情報は、日時と、血糖値とを対応付ける。日時は、血糖値を測定した日時に対応する。血糖値は、該当する日時に測定された血糖の測定値である。
【００１８】
食事イベントデータ１４０ｂは、各食事イベントに対応する時間帯を定義するテーブルである。図４は、食事イベントデータのデータ構造の一例を示す図である。図４に示すように、この食事イベントデータは、食事イベントと、時間帯とを対応付ける。食事イベントは、朝昼夕の食事について、食前か食後かを示す情報である。時間帯は、食事イベントに対応する時間帯を示す。例えば、時間帯が「７：００−８：００」の場合には、食事イベント「朝食前」に対応する。
【００１９】
投薬量管理テーブル１４０ｃは、食事イベントおよび血糖値に対応するインスリンの投薬量を特定する場合に用いられるテーブルである。図５は、投薬量管理テーブルのデータ構造の一例を示す図である。図５に示すように、この投薬量管理テーブル１４０ｃは、食事イベントと、血糖値と、インスリン投薬量とを対応付ける。このうち、食事イベントは、朝昼夕の食事について、食前か食後かを示す情報である。血糖値は、測定された血糖の測定値を示す。インスリン投薬量は、インスリンの投薬量を示す。
【００２０】
例えば、食事イベント「朝食前」において、血糖値が「○○ｍｇ／ｄｌ」の場合には、インスリン投薬量は「１．０単位」となる。なお、図５に示す例では、投薬量管理テーブル１４０ｃが、食事イベントと血糖値とインスリン投薬量とを対応付ける例を示したが、これに限定されるものではない。例えば、投薬量管理テーブル１４０ｃは、食事イベントとインスリン投薬量とを対応付けてもよいし、血糖値とインスリン投薬量とを対応付けてもよい。図５では、朝食後２時間、昼食後２時間、夕食後２時間に関するインスリン投薬量に関する説明を省略する。
【００２１】
制御部１５０は、受付部１５０ａと、出力部１５０ｂとを有する。制御部１５０は、例えば、ＡＳＩＣ（Application  Specific  Integrated  Circuit）や、ＦＰＧＡ（Field  Programmable  Gate  Array）などの集積装置に対応する。また、制御部１５０は、例えば、ＣＰＵ（Central  Processing  Unit）やＭＰＵ（Micro  Processing  Unit）等の電子回路に対応する。
【００２２】
受付部１５０ａは、入力部１２０または通信部１１０を介して各種の情報を受け付ける処理部である。以下において、受付部１５０ａの処理の一例について説明する。
【００２３】
受付部１５０ａは、入力部１２０または通信部１１０を介して食事イベントと、血糖値と、インスリン投薬量とを対応付けた情報を受け付けた場合には、受け付けた情報を基にして、投薬量管理テーブル１４０ｃを更新する。
【００２４】
受付部１５０ａは、患者識別情報と、測定された血糖値と、測定時刻とを受け付けた場合には、現在時刻と、測定時刻とを比較する。受付部１５０ａは、現在時刻の情報を、図示しないタイマから取得する。受付部１５０ａは、現在時刻と測定時刻との差が所定の時間内である場合には、現在時刻と測定された血糖値とを出力部１５０ｂに出力する。また、受付部１５０ａは、患者管理テーブル１４０ａの患者識別情報に対応する血糖値測定履歴情報に、測定時刻と、測定された血糖値を登録する。
【００２５】
一方、受付部１５０ａは、現在時刻と測定時刻との差が所定の時間以内でない場合には、再度血糖値を測定する旨を表示部１３０に表示させる。
【００２６】
出力部１５０ｂは、現在時刻と、測定された血糖値とを基にして、インスリンの投薬量を特定し、特定したインスリンの投薬量を出力する処理部である。以下において、出力部１５０ｂの処理の一例について説明する。
【００２７】
出力部１５０ｂは、現在時刻と、食事イベントデータ１４０ｂとを比較して、現在時刻に対応する食事イベントを特定する。例えば、出力部１５０ｂは、現在時刻が「１２：３０」の場合には、時間帯「１２：００−１４：００」に現在時刻が含まれる。このため、出力部１５０ｂは、現在時刻に対応する食事イベントを「昼食後」と特定する。
【００２８】
出力部１５０ｂは、食事イベントを特定した後に、食事イベントと、測定された血糖値と、投薬量管理テーブル１４０ｃとを比較して、インスリン投薬量を特定する。例えば、食事イベントが「昼食前」で、血糖値が「○○ｍｇ/ｄｌ」の場合には、出力部１５０ｂは、インスリン投薬量を「１．０単位」と判定する。出力部１５０ｂは、判定結果を表示部１３０に出力する。
【００２９】
なお、出力部１５０ｂは、特定した食事イベント、血糖値に対応するインスリンの投薬量に加えて、他の食事イベントに対応するインスリンの投薬量も合わせて表示し、特定した食事イベントに対応するインスリンの投薬量を強調表示してもよい。
【００３０】
図６は、出力部が表示させる表示画面の一例を示す図である。図６に示す画面には、インスリンの投薬量の判定結果１．０が出力されている。例えば、特定した食事イベントが「昼食前」の場合には、出力部１５０ｂは、１０ａに示すような強調表示を行う。例えば、特定した食事イベントが「夕食後」の場合には、出力部１５０ｂは、１０ｂに示すような強調表示を行う。また、特定した食事イベント以外の食事イベントに対応するインスリンの投薬量も合わせて表示されている。このような表示を行うことで、今回投与するインスリンの投薬量を確認するとともに、前回投薬されたインスリンの投薬量と、今後予想されるインスリンの投薬量とを把握することができる。
【００３１】
次に、本実施例に係る投薬量出力制御装置１００の処理手順について説明する。図７は、本実施例に係る投薬量出力制御装置の処理手順を示すフローチャートである。
【００３２】
図７に示すように、投薬量出力制御装置１００は、測定された血糖値と測定時刻とを取得し（ステップＳ１０１）、血糖値を測定してから所定時間以上経過しているか否かを判定する（ステップＳ１０２）。投薬量出力制御装置１００は、血糖値を測定してから所定時間以上経過している場合には（ステップＳ１０２，Ｙｅｓ）、再度測定する旨を出力し（ステップＳ１０３）、ステップＳ１０１に移行する。
【００３３】
一方、投薬量出力制御装置１００は、血糖値を測定してから所定時間以上経過していない場合には（ステップＳ１０２，Ｎｏ）、測定時刻を基にして、食事イベントを特定する（ステップＳ１０４）。
【００３４】
投薬量出力制御装置１００は、食事イベントおよび測定された血糖値と、投薬量管理テーブル１４０ｃとを基にして、インスリン投薬量を特定する（ステップＳ１０５）。投薬量出力制御装置１００は、インスリン投薬量を出力する（ステップＳ１０６）。
【００３５】
次に、本実施例に係る投薬量出力制御装置１００の効果について説明する。投薬量出力制御装置１００は、食事イベントと血糖値とインスリンの投薬量との対応関係を示す投薬量管理テーブル１４０ｃに基づいて、現在時刻が属する時間帯に対応する食事イベントと入力された血糖の測定値とに対応するインスリンの投薬量を特定し、特定した該インスリンの投薬量を出力する。このため、看護師は容易にインスリンの投薬量を知ることができるので、看護師が薬剤を投薬する際のミスを抑制することができる。
【００３６】
投薬量出力制御装置１００は、現在時刻が属する時間帯に対応する食事イベントに対応付けて記憶されたインスリンの投薬量を、他の食事イベントに対応付けて記憶されたインスリンの投薬量に対して強調された表示形態で出力する。このため、例えば、看護師は、今回投与するインスリンの投薬量を確認するとともに、前回投薬されたインスリンの投薬量と、今後予想されるインスリンの投薬量とを把握することができる。
【００３７】
投薬量出力制御装置１００は、血糖値を測定した時刻が、現在時刻から所定の時間内である場合に、インスリンの投薬量を特定する。血糖値は一定ではなく、時間経過とともに変化する値である。このため、血糖値を測定した時刻が、現在時刻から所定の時間内である場合に、インスリンの投薬量を特定することで、時間経過を考慮して正確なインスリンの投薬量を特定することができる。
【００３８】
ところで、上述した受付部１５０ａは、同一の患者識別情報に対する複数の血糖値の測定結果を受け付けた場合には、入力された複数の血糖値を表示部１３０に表示させ、いずれかの血糖値を選択させてもよい。受付部１５０ａは、複数の血糖値のうち、選択された血糖値の情報を患者管理テーブル１４０ａの血糖値測定履歴情報１４０ａに記録する。このような処理を受付部１５０ａが実行することで、看護師は最適な血糖値の測定結果を記憶部１４０に記録することができる。
【００３９】
なお、上記実施例では一例として、薬剤の一例としてインスリンを用いて説明したがこれに限定されるものではなく、本願発明は、食事イベントや血糖値等に応じて投薬量が変動するその他の薬剤についても同様に適用することができる。
【００４０】
次に、上記実施例に示した投薬量出力制御装置１００と同様の機能を実現する制御プログラムを実行するコンピュータの一例について説明する。図８は、投薬量出力制御プログラムを実行するコンピュータの一例を示す図である。
【００４１】
図８に示すように、コンピュータ２００は、各種演算処理を実行するＣＰＵ２０１と、ユーザからのデータの入力を受け付ける入力装置２０２と、ディスプレイ２０３とを有する。また、コンピュータ２００は、記憶媒体からプログラム等を読取る読み取り装置２０４と、ネットワークを介して他のコンピュータとの間でデータの授受を行うインターフェース装置２０５とを有する。また、コンピュータ２００は、各種情報を一時記憶するＲＡＭ２０６と、ハードディスク装置２０７とを有する。そして、各装置２０１〜２０７は、バス２０８に接続される。
【００４２】
ハードディスク装置２０７は、受付プログラム２０７ａおよび出力プログラム２０７ｂを有する。ＣＰＵ２０１は、受付プログラム２０７ａおよび出力プログラム２０７ｂを読み出してＲＡＭ２０６に展開する。受付プログラム２０７ａは、受付プロセス２０６ａとして機能する。出力プログラム２０７ｂは、出力プロセス２０６ｂとして機能する。例えば、受付プロセス２０６ａは、受付部１５０ａに対応する。出力プロセス２０６ｂは、出力部１５０ｂに対応する。
【００４３】
なお、受付プログラム２０７ａおよび出力プログラム２０７ｂについては、必ずしも最初からハードディスク装置２０７に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００がこれらから受付プログラム２０７ａおよび出力プログラム２０７ｂを読み出して実行するようにしてもよい。
【００４４】
以上の各実施例を含む実施形態に関し、さらに以下の付記を開示する。
【００４５】
（付記１）コンピュータに、
食事イベントと該食事イベントに対応する薬剤の投薬量とを含む指定を受け付け、
現在時刻が前記食事イベントに予め対応付けられた時間帯に属する場合に、該食事イベントと該食事イベントに対応付けて記憶された薬剤の投薬量とを出力する
処理を実行させることを特徴とする薬剤の投薬量出力制御プログラム。
【００４６】
（付記２）コンピュータに、
複数の食事イベントと該複数の食事イベントに対応する薬剤の投薬量とを含む指定を受け付け、
現在時刻が前記複数の食事イベントのそれぞれに予め対応付けられた時間帯のいずれかに属する場合に、現在時刻が属する時間帯に対応する食事イベントに対応付けて記憶された薬剤の投薬量を、他の食事イベントに対応付けて記憶された薬剤の投薬量に対して強調された表示形態で出力する
処理を実行させることを特徴とする薬剤の投薬量出力制御プログラム。
【００４７】
（付記３）前記食事イベントは、朝食前、又は、朝食後、又は、昼食前、又は、昼食後、又は、夕食前、又は、夕食後であることを特徴とする付記１又は２に記載の投薬量出力制御プログラム。
【００４８】
（付記４）コンピュータに、
食事イベントと血糖値とインスリンの投薬量との対応関係を記憶する記憶部に記憶された前記対応関係に基づいて、現在時刻が属する時間帯に対応する食事イベントと入力された血糖の測定値とに対応するインスリンの投薬量を特定し、
特定した該インスリンの投薬量を出力する、
処理を実行させることを特徴とする薬剤の投薬量出力制御プログラム。
【００４９】
（付記５）前記血糖の測定値が入力された時刻を取得して、前記取得した時刻が現在時刻から所定の時間内である場合に、前記インスリンの投薬量を特定する
処理を実行することを特徴とする付記４に記載の投薬量出力制御プログラム。
【００５０】
（付記６）前記取得した時刻が現在時刻から所定の時間内である前記血糖の測定値が複数ある場合に、測定された前記血糖の複数の測定値のいずれかを選択可能に表示することを特徴とする付記５に記載の投薬量出力制御プログラム。
【００５１】
（付記７）コンピュータが実行する投薬量出力制御方法であって、
食事イベントと該食事イベントに対応する薬剤の投薬量とを含む指定を受け付け、
現在時刻が前記食事イベントに予め対応付けられた時間帯に属する場合に、該食事イベントと該食事イベントに対応付けて記憶された薬剤の投薬量とを出力する
処理を実行することを特徴とする薬剤の投薬量出力制御方法。
【００５２】
（付記８）コンピュータが実行する投薬量出力制御方法であって、
複数の食事イベントと該複数の食事イベントに対応する薬剤の投薬量とを含む指定を受け付け、
現在時刻が前記複数の食事イベントのそれぞれに予め対応付けられた時間帯のいずれかに属する場合に、現在時刻が属する時間帯に対応する食事イベントに対応付けて記憶された薬剤の投薬量を、他の食事イベントに対応付けて記憶された薬剤の投薬量に対して強調された表示形態で出力する
処理を実行することを特徴とする薬剤の投薬量出力制御方法。
【００５３】
（付記９）前記食事イベントは、朝食前、又は、朝食後、又は、昼食前、又は、昼食後、又は、夕食前、又は、夕食後であることを特徴とする付記７又は８に記載の投薬量出力制御方法。
【００５４】
（付記１０）コンピュータが実行する投薬量出力制御方法であって、
食事イベントと血糖値とインスリンの投薬量との対応関係を記憶する記憶部に記憶された前記対応関係に基づいて、現在時刻が属する時間帯に対応する食事イベントと入力された血糖の測定値とに対応するインスリンの投薬量を特定し、
特定した該インスリンの投薬量を出力する、
処理を実行させることを特徴とする薬剤の投薬量出力制御方法。
【００５５】
（付記１１）前記血糖の測定値が入力された時刻を取得して、前記取得した時刻が現在時刻から所定の時間内である場合に、前記インスリンの投薬量を特定する
処理を実行することを特徴とする付記１０に記載の投薬量出力制御方法。
【００５６】
（付記１２）前記取得した時刻が現在時刻から所定の時間内である前記血糖の測定値が複数ある場合に、測定された前記血糖の複数の測定値のいずれかを選択可能に表示することを特徴とする付記１１に記載の投薬量出力制御方法。
【００５７】
（付記１３）食事イベントと該食事イベントに対応する薬剤の投薬量とを含む指定を受け付ける受付部と、
現在時刻が前記食事イベントに予め対応付けられた時間帯に属する場合に、該食事イベントと該食事イベントに対応付けて記憶された薬剤の投薬量とを出力する出力部と
を有することを特徴とする投薬量出力制御装置。
【００５８】
（付記１４）複数の食事イベントと該複数の食事イベントに対応する薬剤の投薬量とを含む指定を受け付ける受付部と、
現在時刻が前記複数の食事イベントのそれぞれに予め対応付けられた時間帯のいずれかに属する場合に、現在時刻が属する時間帯に対応する食事イベントに対応付けて記憶された薬剤の投薬量を、他の食事イベントに対応付けて記憶された薬剤の投薬量に対して強調された表示形態で出力する出力部と、
を有することを特徴とする薬剤の投薬量出力制御装置。
【００５９】
（付記１５）前記食事イベントは、朝食前、又は、朝食後、又は、昼食前、又は、昼食後、又は、夕食前、又は、夕食後であることを特徴とする付記１３又は１４に記載の投薬量出力制御装置。
【００６０】
（付記１６）食事イベントと血糖値とインスリンの投薬量との対応関係を記憶する記憶部に記憶された前記対応関係に基づいて、現在時刻が属する時間帯に対応する食事イベントと入力された血糖の測定値とに対応するインスリンの投薬量を特定し、特定した該インスリンの投薬量を出力する出力部
を有することを特徴とする薬剤の投薬量出力制御装置。
【００６１】
（付記１７）前記出力部は、前記血糖の測定値が入力された時刻を取得して、前記取得した時刻が現在時刻から所定の時間内である場合に、前記インスリンの投薬量を特定することを特徴とする付記１５に記載の投薬量出力制御装置。
【００６２】
（付記１８）前記出力部は、前記取得した時刻が現在時刻から所定の時間内である前記血糖の測定値が複数ある場合に、測定された前記血糖の複数の測定値のいずれかを選択可能に表示することを特徴とする付記１７に記載の投薬量出力制御装置。
【符号の説明】
【００６３】
１００    投薬量出力制御装置
１４０    記憶部
１４０ａ  患者管理テーブル
１４０ｂ  食事イベントデータ
１４０ｃ  投薬量管理テーブル
１５０    制御部
１５０ａ  受付部
１５０ｂ  出力部
【図１】
2015194967.tif 000003
【図２】
2015194967.tif 000004
【図３】
2015194967.tif 000005
【図４】
2015194967.tif 000006
【図５】
2015194967.tif 000007
【図６】
2015194967.tif 000008
【図７】
2015194967.tif 000009
【図８】
2015194967.tif 000010